(57)【要約】【課題】種々の遊技機の玉受け皿に直接排出口からパチンコ玉を供給可能な台間玉貸出機の貸玉排出用ノズルおよび台間玉貸出機を提供することを目的とする。【解決手段】台間玉貸機本体の外部において、台間玉貸出機１０から排出されたパチンコ玉ＰＢを略鉛直下方に導き鉛直通路部１１０と、略鉛直下方に導かれたパチンコ玉ＰＢを略水平方向に導き排出する水平通路部１１１とから構成されるＬ字状の誘導排出通路１０１を備える。【選択図】図１
2008000217.tif 000002
【特許請求の範囲】
【請求項１】
台間玉貸機に取り付けられた、遊技機の玉皿にパチンコ玉を排出可能な貸玉排出用ノズルであって、
台間玉貸機本体の外部においてパチンコ玉を略鉛直下方に導き、続いて略水平方向に導いて排出するＬ字状の誘導排出通路を具備することを特徴とする台間玉貸機の貸玉排出用ノズル。
【請求項２】
台間玉貸機に取り付けられた、遊技機の玉皿にパチンコ玉を排出可能な貸玉排出用ノズルであって、
台間玉貸機本体の外部においてパチンコ玉を略鉛直下方に導き、続いて略水平方向に導いて排出するＬ字状の誘導排出通路に形態を変更可能なことを特徴とする台間玉貸機の貸玉排出用ノズル。
【請求項３】
前記貸玉排出用ノズルが、台間玉貸機本体の外部において、
パチンコ玉を略水平方向に導き、続いて略鉛直下方に導いて排出するへ字状の誘導排出通路の形態から、パチンコ玉を略鉛直下方に導き、続いて略水平方向に導いて排出するＬ字状の誘導排出通路の形態へ、および／または、
パチンコ玉を略鉛直下方に導き、続いて略水平方向に導いて排出するＬ字状の誘導排出通路の形態から、パチンコ玉を略水平方向に導き、続いて略鉛直下方に導いて排出するへ字状の誘導排出通路の形態に変更可能なことを特徴とする請求項２記載の台間玉貸機の貸玉排出用ノズル。
【請求項４】
前記誘導排出通路におけるパチンコ玉を略鉛直下方に導く部分の通路の長さが、略水平方向に導く部分の通路の長さよりも長いことを特徴とする請求項１乃至３のいずれか１項記載の台間玉貸機の貸玉排出用ノズル。
【請求項５】
前記誘導排出通路が、
パチンコ玉を略鉛直下方に導く通路の少なくとも背面の一部に、前記台間玉貸機からパチンコ玉を前記誘導排出通路に導く誘導通路と連通可能に設けられた開口部と、
前記開口部を開閉可能に封鎖する封鎖体と
を備えることを特徴とする請求項１乃至４のいずれか１項記載の台間玉貸出機の貸玉排出用ノズル。
【請求項６】
前記誘導通路が、前記台間玉貸機におけるパチンコ玉供給通路の一部であることを特徴とする請求項５記載の台間玉貸機の貸玉排出用ノズル。
【請求項７】
前記誘導通路が、前記台間玉貸機に取り付けられた前記貸玉排出用ノズルの一部であることを特徴とする請求項５記載の台間玉貸機の貸玉排出用ノズル。
【請求項８】
前記封鎖体が、前記開口部を覆う蓋であることを特徴とする請求項５乃至７のいずれか１項記載の台間玉貸出機の貸玉排出用ノズル。
【請求項９】
前記封鎖体が、前記背面の長手方向に沿って移動可能なシャッタであることを特徴とする請求項５乃至７のいずれか１項記載の台間玉貸出機の貸玉排出用ノズル。
【請求項１０】
前記誘導排出通路が、前記誘導通路に着脱可能に取り付けられていることを特徴とする請求項５乃至９のいずれか１項記載の台間玉貸機の貸玉排出用ノズル。
【請求項１１】
前記誘導排出通路が、突出方向における所定の軸を回転軸として回転可能に前記台間玉貸出機に取り付けられていることを特徴とする請求項２乃至１０のいずれか１項記載の台間玉貸出機の貸玉排出用ノズル。
【請求項１２】
前記誘導排出通路が、パチンコ玉を排出する排出口が向けられている方向とは異なる方向に折曲可能に前記誘導通路に取り付けられ、折曲された場合に前記背面の長手方向に沿ってスライド可能に設けられていることを特徴とする請求項５乃至１１のいずれか１項記載の台間玉貸出機の貸玉排出用ノズル。
【請求項１３】
前記シャッタが、前記背面の長手方向に沿う前記誘導排出通路のスライドに伴って開閉されることを特徴とする請求項９記載の台間玉貸出機の貸玉排出用ノズル。
【請求項１４】
請求項１乃至請求項１３のいずれか１項記載の貸玉排出用ノズルを具備することを特徴とする台間玉貸出機。
【発明の詳細な説明】
【技術分野】
【０００１】
本発明は、台間玉貸出機に備えられる貸玉排出用ノズルおよびその貸玉排出用ノズルを備えた台間玉貸出機に関する。
【背景技術】
【０００２】
従来の台間玉貸出機の貸玉排出用ノズルにおいては、水平方向に回動自在に構成され、貸玉排出用ノズルのパチンコ玉排出口をパチンコ機前面の上皿上に回動することで貸玉可能とする一方、貸玉排出用ノズルを所定の位置に回動して、共通玉貸し部（バイパス通路側）から貸玉可能とするものが開示されている（例えば、特許文献１参照。）。また、ノズル先端を着脱可能に構成し、パチンコ機の上皿の位置に応じてノズル先端を適宜に選択できる貸玉排出用ノズルが開示されている（例えば、特許文献２参照。）。さらに、水平方向に回動自在に構成され、貸玉排出用ノズルを上方に折曲可能な貸玉排出用ノズルが開示されている（例えば、特許文献３参照。）。
【特許文献１】特許第２６８３８１０号公報
【特許文献２】特開平５−１３１０６３号公報
【特許文献３】実開平６−０００４８９号公報
【発明の開示】
【発明が解決しようとする課題】
【０００３】
近年、パチンコ玉で遊技可能なスロットマシンが発売されている。このスロットマシンに、従来の貸玉排出用ノズルを備える台間玉貸出機を並設した場合、例えば、スロットマシンの回動を停止させるボタンが備えられた突出部に貸玉排出用ノズル本体が当接し、貸玉排出用ノズルのパチンコ玉排出口をスロットマシンの玉受け皿上に位置させることができないなどの問題があった。
【０００４】
そこで、本発明は、上記課題を解決するためになされたもので、種々の遊技機の玉受け皿に直接排出口からパチンコ玉を供給可能な台間玉貸出機の貸玉排出用ノズルおよび台間玉貸出機を提供することを目的とする。
【課題を解決するための手段】
【０００５】
上記目的を達成するために、本発明の台間玉貸出機の貸玉排出用ノズルは、台間玉貸機に取り付けられた、遊技機の玉皿にパチンコ玉を排出可能な貸玉排出用ノズルであって、台間玉貸機本体の外部においてパチンコ玉を略鉛直下方に導き、続いて略水平方向に導いて排出するＬ字状の誘導排出通路を具備することを特徴とする。
【０００６】
この台間玉貸出機の貸玉排出用ノズルによれば、重力作用により、台間玉貸出機から排出されたパチンコ玉を略鉛直下方に導き、かつ略鉛直下方に導かれたパチンコ玉を略水平方向に導き排出することができる。また、従来の台間玉貸出機に本発明の貸玉排出用ノズルを備え付けることで、例えば、従来の遊技機とは異なる位置に玉受け皿を備える新種の遊技機に対しても適確にパチンコ玉を供給することができる。
【０００７】
なお、貸玉排出用ノズルにおいてパチンコ玉を略鉛直下方に導く際に、台間玉貸出機前面に沿って導くようにすることで、パチンコ玉で遊技可能なスロットマシンにおける回動を停止させるボタンなどを備える突出部に貸玉排出用ノズルが当接することを防止できる。
【０００８】
また、略鉛直下方とは、厳密な鉛直下方向に限らず、遊技機に接触することがない程度の下方向にパチンコ玉を導く方向ならばこれに含まれる。また、略水平方向とは、厳密な水平方向に限らず、遊技機に接触しない程度に遊技機の玉受け皿に到達可能にパチンコ玉をほぼ水平に排出する方向ならばこれに含まれる。例えば、パチンコ玉を導く方向が、鉛直下方向に対して±４５°の範囲の略鉛直下方にパチンコ玉を導き、その後鉛直下方向に対して±４５°を超える範囲の略水平方向にパチンコ玉を導き排出できるように貸玉排出用ノズルを固定できれば本発明に含まれる。
【０００９】
また、台間玉貸出機本体の外部とは、台間玉貸出機本体を形成する樹脂体または金属体等の不動体より外部に突出した部分をいい、台間玉貸出機本体の前面パネルの表面から突出した不動体の内側も台間玉貸出機本体に含まれる。
【００１０】
さらに、台間玉貸機本体の外部においての貸玉排出用ノズルのパチンコ玉を略鉛直下方に導き、かつ略鉛直下方に導かれたパチンコ玉を略水平方向に導く長さを、その前後に設けられ得る、１または複数の異なる方向へ導く通路の長さより長くすることで、より確実に、パチンコ玉で遊技可能なスロットマシンにおける回動を停止させるボタンなどを備える突出部に貸玉排出用ノズルが当接することを防止できる。
【００１１】
また、本発明の台間玉貸出機の貸玉排出用ノズルは、台間玉貸機に取り付けられた、遊技機の玉皿にパチンコ玉を排出可能な貸玉排出用ノズルであって、台間玉貸機本体の外部においてパチンコ玉を略鉛直下方に導き、続いて略水平方向に導いて排出するＬ字状の誘導排出通路に形態を変更可能なことを特徴とする。
【００１２】
この台間玉貸出機の貸玉排出用ノズルによれば、台間玉貸出機から排出されたパチンコ玉を略鉛直下方に導き、かつ略鉛直下方に導かれたパチンコ玉を略水平方向に導き排出するようにＬ字状の誘導排出通路の配置形態を変更することができる。また、従来の台間玉貸出機に本発明の貸玉排出用ノズルを備え付けることで、例えば、従来の遊技機とは異なる位置に玉受け皿を備える新種の遊技機に対しても適確にパチンコ玉を供給することができる。
【００１３】
また、本発明の台間玉貸出機の貸玉排出用ノズルは、前記貸玉排出用ノズルが、台間玉貸機本体の外部において、パチンコ玉を略水平方向に導き、続いて略鉛直下方に導いて排出するへ字状の誘導排出通路の形態から、パチンコ玉を略鉛直下方に導き、続いて略水平方向に導いて排出するＬ字状の誘導排出通路の形態へ、および／または、パチンコ玉を略鉛直下方に導き、続いて略水平方向に導いて排出するＬ字状の誘導排出通路の形態から、パチンコ玉を略水平方向に導き、続いて略鉛直下方に導いて排出するへ字状の誘導排出通路の形態に変更可能なことを特徴とする。
【００１４】
この台間玉貸出機の貸玉排出用ノズルによれば、Ｌ字状の誘導排出通路の形態からヘ字状の誘導排出通路の形態に、さらにヘ字状の誘導排出通路の形態からＬ字状の誘導排出通路の形態に変更することができる。これによって、従来の遊技機および、従来の遊技機とは異なる位置に玉受け皿を備える新種の遊技機の双方に対して、遊技機入れ替え毎に着脱することなく誘導排出通路の形態を変更できるので、１つの貸玉排出用ノズル構成で適確にパチンコ玉を供給することができる。
【００１５】
なお、上記した本発明の台間玉貸出機の貸玉排出用ノズルにおいては、誘導排出通路におけるパチンコ玉を略鉛直下方に導く部分の通路の長さが、略水平方向に導く部分の通路の長さよりも長く構成されている。
【００１６】
さらに、本発明の台間玉貸出機の貸玉排出用ノズルは、誘導排出通路が、パチンコ玉を略鉛直下方に導く通路の少なくとも背面の一部に、前記台間玉貸機からパチンコ玉を前記誘導排出通路に導く誘導通路と連通可能に設けられた開口部と、前記開口部を開閉可能に封鎖する封鎖体とを備えることを特徴とする。この誘導通路は、台間玉貸機におけるパチンコ玉供給通路の一部であっても、または台間玉貸機に取り付けられた貸玉排出用ノズルの一部であってもよい。また、封鎖体は、開口部を覆う蓋であっても、または略鉛直下方に導く通路の背面の長手方向に沿って移動可能なシャッタであってもよい。このシャッタは、略鉛直下方に導く通路の背面の長手方向に沿う誘導排出通路のスライドに伴って開閉されることが好ましい。
【００１７】
この台間玉貸出機の貸玉排出用ノズルによれば、開口部を介して誘導排出通路を誘導通路に着脱可能に嵌合させることで、誘導排出通路の配置構成を変えることができる。
【００１８】
また、誘導排出通路は、突出方向における所定の軸を回転軸として回転可能に台間玉貸出機に取り付けられていてもよい。さらに、誘導排出通路は、パチンコ玉を排出する排出口が向けられている方向とは異なる方向に折曲可能に誘導通路に取り付けられ、折曲された場合に、略鉛直下方に導く通路の背面の長手方向に沿ってスライド可能に設けられていてもよい。
【発明の効果】
【００１９】
本発明の台間玉貸出機の貸玉排出用ノズルおよび台間玉貸出機によれば、種々の遊技機の玉受け皿に直接排出口からパチンコ玉を供給することができる。
【発明を実施するための最良の形態】
【００２０】
以下、本発明に係る実施の形態について図面を参照して説明する。
【００２１】
（第１の実施の形態）
本発明に係る第１の実施の形態の台間玉貸出機１０の貸玉排出用ノズル１００について、図１〜図３を参照して説明する。
【００２２】
図１は、貸玉排出用ノズル１００を備えた台間玉貸出機１０の平面図である。図２は、スロットマシン２０間に設置された台間玉貸出機１０の貸玉排出用ノズル１００の平面図である。図３は、貸玉排出用ノズル１００の断面の一例を模式的に示した図である。
【００２３】
図１〜図３に示すように、貸玉排出用ノズル１００は、台間玉貸機本体の外部において、鉛直通路部１１０と水平通路部１１１とから主に構成されるＬ字状の誘導排出通路１０１を備えている。また、図３に示すように、貸玉排出用ノズル１００の上端部は、計数されたパチンコ玉ＰＢを貸玉排出用ノズル１００に供給する供給配管１２０と連通し、供給配管１２０から供給されたパチンコ玉ＰＢを鉛直通路部１１０に導く誘導通路部１１２で構成されている。なお、貸玉排出用ノズル１００の構成に誘導通路部１１２を含まずに貸玉排出用ノズル１００を構成してもよい。この場合には、直接供給配管１２０が鉛直通路部１１０に連通するように構成される。
【００２４】
また、誘導通路部１１２と供給配管１２０との連通部１３０は、連通口１３０ａの鉛直方向の中心線を回転軸として、回転可能に構成されている。これによって、貸玉排出用ノズル１００を、台間玉貸出機１０に、水平方向（図１および図２の矢印方向）に回動させることができる。このように、水平方向に回動可能とすることで、スロットマシン２０の前面扉を開ける場合に貸玉排出用ノズル１００を回避させることができる。
【００２５】
なお、台間玉貸出機１０に並設されるスロットマシン２０は、パチンコ玉で遊技可能な機種のスロットマシンである。
【００２６】
鉛直通路部１１０は、台間玉貸出機１０から排出されるパチンコ玉ＰＢを台間玉貸出機１０の前面に沿って略鉛直下方に導くものである。ここで、略鉛直下方とは、厳密な鉛直下方向に限らず、スロットマシン２０などの遊技機に接触することがない程度に下方向にパチンコ玉ＰＢを導く方向ならばこれに含まれる。また、鉛直通路部１１０の長さは、水平通路部１１１の長さよりも長く構成されている。
【００２７】
水平通路部１１１は、鉛直通路部１１０に連接して形成され、鉛直通路部１１０を流れてきたパチンコ玉ＰＢを、スロットマシン２０の表面に沿った略水平方向に導き排出するものである。水平通路部１１１の排出口１１３は、排出口１１３から排出されたパチンコ玉ＰＢがスロットマシン２０の玉受け皿２１内に収容できるように位置される。ここで、略水平方向とは、厳密な水平方向に限らず、鉛直通路部１１０から屈曲し、スロットマシン２０などの遊技機に接触することがない程度にスロットマシン２０の玉受け皿２１内に到達可能にパチンコ玉ＰＢをほぼ水平に排出する方向ならばこれに含まれる。また、水平通路部１１１の先端部、すなわちパチンコ玉ＰＢの排出口１１３の近傍は、複数のリング１１４を継ぎ手１１５で接続した構造になっている。このように構成することで、排出口１１３から排出されるパチンコ玉ＰＢの方向を、上記した略水平方向の範囲で変えることができ、スロットマシン２０の玉受け皿２１内にパチンコ玉ＰＢを適確に供給することができる。なお、リング１１４間の間隔は、水平通路部１１１を流れるパチンコ玉ＰＢが落下しない程度に設定されている。また、水平通路部１１１の先端部の構造は、この構造に限られるものではなく、単に筒状の通路であってもよい。
【００２８】
ここで、貸玉排出用ノズル１００を構成する材料は、特に限定されるものではないが、例えば、樹脂や金属などで構成することができる。
【００２９】
供給配管１２０から上記した構成を備える貸玉排出用ノズル１００に供給されたパチンコ玉ＰＢは、鉛直通路部１１０によって略鉛直下方に導かれ、続いて水平通路部１１１によって略水平方向に導かれ排出口１１３から排出される。例えば、遊技客が所定の紙幣を紙幣挿入口１１に挿入し、台間玉貸出機１０の貸し出しボタン１２を押すことで、上記したように、台間玉貸出機１０から貸玉排出用ノズル１００を介してスロットマシン２０の玉受け皿２１内にパチンコ玉ＰＢが貸し出される。また、スロットマシン２０の前面扉を開く場合には、貸玉排出用ノズル１００を、台間玉貸出機１０に、水平方向（図１および図２の矢印方向）に回動させて、貸玉排出用ノズル１００が前面扉に接触することを回避させることができる。
【００３０】
上記したように、第１の実施の形態の貸玉排出用ノズル１００およびそれを備えた台間玉貸出機１０によれば、台間玉貸出機１０から排出されたパチンコ玉ＰＢを台間玉貸出機１０の前面に沿って略鉛直下方に導き、かつ略鉛直下方に導かれたパチンコ玉ＰＢをスロットマシン２０の前面に沿った略水平方向に導き排出することができる。また、従来の台間玉貸出機に貸玉排出用ノズル１００を備え付けることで、例えば、上記したような従来の遊技機とは異なる位置に玉受け皿２１を備える新種のスロットマシン２０に対しても適確にパチンコ玉ＰＢを供給することができる。
【００３１】
なお、上記した第１の実施の形態の貸玉排出用ノズル１００は、排出口１１３側を上方に向けて折曲可能なように、台間玉貸出機１０に取り付けられてもよい。
【００３２】
（第２の実施の形態）
本発明に係る第２の実施の形態の台間玉貸出機１０の貸玉排出用ノズル２００について、図４〜図８を参照して説明する。なお、第１の実施の形態の貸玉排出用ノズル１００の構成と同一の構成部分には同一符号を付して、重複する説明を省略または簡略する。
【００３３】
図４は、貸玉排出用ノズル２００を備えた台間玉貸出機１０の平面図である。図５は、スロットマシン２０間に設置された台間玉貸出機１０の貸玉排出用ノズル２００の平面図である。図６は、台間玉貸出機１０からパチンコ玉ＰＢを鉛直通路部１１０に導く誘導通路の斜視図である。図７は、貸玉排出用ノズル２００の側面を示す平面図である。図８は、貸玉排出用ノズル２００の開口部２４１を示す斜視図である。
【００３４】
第２の実施の形態の貸玉排出用ノズル２００は、第１の実施の形態の貸玉排出用ノズル１００と同様に、台間玉貸機本体の外部において、鉛直通路部２１０と水平通路部２１１とから主に構成されるＬ字状の誘導排出通路２０１を備え、この誘導排出通路２０１は、誘導通路部２６０に着脱可能に嵌合されている。なお、鉛直通路部２１０の長さは、水平通路部２１１の長さよりも長く構成されている。
【００３５】
図７および図８に示すように、貸玉排出用ノズル２００の鉛直通路部２１０の背面２１０ａおよび側面２１０ｂには、開口部２４０、２４１が形成されている。これらの開口部２４０、２４１は、封鎖体として機能する蓋２４２、２４３によって封鎖される。蓋２４２、２４３によって開口部２４０、２４１を封鎖する際、開口部２４０、２４１の開口断面の一部に設けられた、例えば板バネや棒状のバネなどの弾性体２４４が、それに対応する位置に形成された蓋２４２、２４３の凹部（図示しない）に嵌合し、蓋２４２、２４３は固定される。
【００３６】
また、図７に示すように、鉛直通路部２１０の一端部における両側面２１０ｂの内壁には、凹部２５０が形成されている。この凹部２５０を、台間玉貸出機１０からパチンコ玉ＰＢを鉛直通路部２１０に導く誘導通路部２６０の嵌合凸部２６２（図６参照）の両側面に形成された凸部２６１に嵌合することで、図７に示すように、誘導排出通路２０１を、パチンコ玉ＰＢを略水平方向に導き、続いて略鉛直下方に導いて排出するへ字状の形態に配置することができる。なお、凹部２５０の代わりに貫通口を形成してもよい。また、誘導排出通路２０１は、誘導通路部２６０に着脱可能に嵌合されている。
【００３７】
ここで、図６に示すように、誘導通路部２６０は、図３に示された誘導通路部１１２と同様に、一端側が計数されたパチンコ玉ＰＢを貸玉排出用ノズル２００に供給する供給配管１２０と連通し、台間玉貸出機１０の供給配管１２０から供給されたパチンコ玉ＰＢを鉛直通路部２１０に導くものである。この誘導通路部２６０は、貸玉排出用ノズル２００の構成の一部として形成されても、パチンコ玉ＰＢを供給する供給配管１２０の一部として形成されてもよい。
【００３８】
また、誘導通路部２６０と供給配管１２０との連通部は、連通口の鉛直方向の中心線を回転軸として、回転可能に構成されている。これによって、貸玉排出用ノズル２００を、台間玉貸出機１０に、水平方向（図４および図５の矢印方向）に回動させることができる。また、誘導通路部２６０の嵌合凸部２６２の両側面に形成された凸部２６１は、例えば、凹溝の底面にバネなどを介して突出部材を固定して構成される。これによって、この凸部２６１が、例えば、鉛直通路部２１０の凹部２５０と嵌合する場合には、凹部２５０内に凸部２６１の突出部材が突出する。一方、鉛直通路部２１０の凹部２５０を構成しない部分と凸部２６１が接触する場合には、突出部材は、鉛直通路部２１０の内壁面に押圧され、凹溝内に収容される。
【００３９】
なお、図７に示すように、誘導排出通路２０１の一端部を誘導通路部２６０の嵌合凸部２６２に取り付けた際、誘導排出通路２０１が凹部２５０を回転軸として回転しようとするが、誘導排出通路２０１の一端縁が誘導通路部２６０の底面に当接するため、その回転が防止され、誘導排出通路２０１の鉛直通路部２１０を略水平に保持することができる。
【００４０】
また、第１の実施の形態と同様に、図４および図５に示す、誘導排出通路２０１がＬ字状の配置形態の場合には、鉛直通路部２１０は、台間玉貸出機１０から排出されるパチンコ玉ＰＢを台間玉貸出機１０の前面に沿って略鉛直下方に導く。また、水平通路部２１１は、鉛直通路部２１０を流れてきたパチンコ玉ＰＢを、スロットマシン２０の表面に沿った略水平方向に導き排出する。一方、図７に示すように、誘導排出通路２０１がへ字状の配置形態の場合には、鉛直通路部２１０は、台間玉貸出機１０から排出されるパチンコ玉ＰＢを通常のパチンコ機の前面に沿った略水平方向に導く。また、水平通路部２１１は、鉛直通路部２１０を流れてきたパチンコ玉ＰＢを、略鉛直下方に導き、通常のパチンコ機前面に設けられたパチンコ玉を載せる上皿へ排出する。
【００４１】
ここで、水平通路部２１１の先端部、すなわちパチンコ玉ＰＢの排出口２１３の近傍は、複数のリング２１４を継ぎ手２１５で接続した構造になっている。このように構成することで、例えば、誘導排出通路２０１がＬ字状の配置形態の場合には、排出口２１３から排出されるパチンコ玉ＰＢの方向を、上記した略水平方向の範囲で変えることができ、スロットマシン２０の玉受け皿２１内にパチンコ玉ＰＢを適確に供給することができる。なお、リング２１４間の間隔は、水平通路部２１１を流れるパチンコ玉ＰＢが落下しない程度に設定されている。また、水平通路部２１１の先端部の構造は、この構造に限られるものではなく、単に筒状の通路であってもよい。
【００４２】
次に、誘導排出通路２０１を、図７に示すようなへ字状の配置された状態から、図４および図５に示すようなＬ字状の配置形態に変更する過程について説明する。
【００４３】
まず、図７に示す状態の誘導排出通路２０１を誘導通路部２６０から取り外し、さらに、貸玉排出用ノズル２００の開口部２４０、２４１を封鎖する蓋２４２、２４３の一方を取り外す。続いて、誘導通路部２６０の嵌合凸部２６２に、その開口された開口部２４１を嵌合する。この変更過程によって、誘導排出通路２０１を、図７に示すようなへ字状の配置された状態から、図４および図５に示すようなＬ字状の配置形態に変更することができる。ここで、図６に示すように、誘導通路部２６０における嵌合凸部２６２の開口断面の一部に設けられた凹溝２６３に、開口部２４０、２４１の開口断面に設けられた弾性体２４４が嵌合し、誘導排出通路２０１は固定される。
【００４４】
なお、貸玉排出用ノズル２００に形成される開口部数は、特に限定されるものではなく、開口部数が多いほど、誘導排出通路２０１の鉛直方向の設置位置の範囲が広がる。
【００４５】
上記したように、第２の実施の形態の貸玉排出用ノズル２００およびそれを備えた台間玉貸出機１０によれば、貸玉排出用ノズル２００における誘導排出通路２０１を誘導通路部２６０に着脱可能に嵌合させることで、誘導排出通路２０１の配置構成を変えることができる。また、誘導排出通路２０１の配置構成を変えることで、パチンコ玉ＰＢを略水平方向に導き、続いて略鉛直下方に導いて排出するへ字状の誘導排出通路の形態から、パチンコ玉ＰＢを略鉛直下方に導き、続いて略水平方向に導いて排出するＬ字状の誘導排出通路の形態へ変更することができる。さらに、パチンコ玉ＰＢを略鉛直下方に導き、続いて略水平方向に導いて排出するＬ字状の誘導排出通路の形態から、パチンコ玉ＰＢを略水平方向に導き、続いて略鉛直下方に導いて排出するへ字状の誘導排出通路の形態に変更することができる。
【００４６】
また、貸玉排出用ノズル２００の鉛直通路部２１０の背面２１０ａおよび側面２１０ｂに、開口部２４０、２４１を形成することで、鉛直方向における水平通路部２１１の排出口２１３の位置の調整が可能となり、排出口２１３から適確にパチンコ玉ＰＢをスロットマシン２０の玉受け皿２１内に収容することができる。
【００４７】
これによって、従来の遊技機および、従来の遊技機とは異なる位置に玉受け皿２１を備える新種のスロットマシン２０の双方に対して１つの貸玉排出用ノズル構成で適確にパチンコ玉ＰＢを供給することができる。
【００４８】
（第３の実施の形態）
本発明に係る第３の実施の形態の台間玉貸出機１０の貸玉排出用ノズル３００について、図９〜図１７を参照して説明する。なお、第１または第２の実施の形態の貸玉排出用ノズル１００、２００の構成と同一の構成部分には同一符号を付して、重複する説明を省略または簡略する。
【００４９】
図９は、へ字状に配置された貸玉排出用ノズル３００を備えた台間玉貸出機１０における貸玉排出用ノズル３００の部分の斜視図である。図１０は、誘導通路部２６０の断面を示す図である。図１１〜図１３は、貸玉排出用ノズル３００の配置形態を変更する過程の一例を説明するための平面図である。図１４は、図１３のＡ−Ａ断面図である。図１５〜図１７は、貸玉排出用ノズル３００の配置形態を変更する過程の他の一例を説明するための平面図である。
【００５０】
第３の実施の形態の貸玉排出用ノズル３００は、第１の実施の形態の貸玉排出用ノズル１００と同様に、台間玉貸機本体の外部において、配置形態を変更することにより、図１３に示すように、台間玉貸出機１０から排出されるパチンコ玉ＰＢを台間玉貸出機１０の前面に沿って略鉛直下方に導く第１の通路部３１０と、第１の通路部３１０を流れてきたパチンコ玉ＰＢを、スロットマシン２０の表面に沿った略水平方向に導き排出する第２の通路部３１１とから主に構成されるＬ字状の誘導排出通路３０１を備えている。ここでは、説明の便宜上、誘導排出通路３０１の構成通路を第１の通路部３１０および第２の通路部３１１と呼ぶが、上記した第１および２の実施の形態の貸玉排出用ノズル１００、２００においては、第１の通路部３１０は鉛直通路部１１０、２１０に相当し、第２の通路部３１１は水平通路部１１１、２１１に相当するものである。
【００５１】
また、貸玉排出用ノズル３００は、誘導排出通路３０１の配置形態を変更することで、図１３に示すようなＬ字状の配置形態から、図９に示すような、第１の通路部３１０でパチンコ玉ＰＢを略水平方向に導き、続いて第２の通路部３１１で略鉛直下方に導いて排出するへ字状の誘導排出通路３０１の配置形態に変更することができる。また、前述した実施の形態と同様に、第１の通路部３１０の長さは、第２の通路部３１１の長さよりも長く構成されている。なお、ここでは、第２の通路部３１１を筒状の通路で構成した一例を示しているが、第１および２の実施の形態と同様に、複数のリングを継ぎ手で接続した構造としてもよい。
【００５２】
ここで、略鉛直下方とは、厳密な鉛直下方向に限らず、スロットマシン２０などの遊技機に接触することがない程度に下方向にパチンコ玉ＰＢを導く方向ならばこれに含まれる。また、略水平方向とは、厳密な水平方向に限らず、第１の通路部３１０から屈曲し、スロットマシン２０などの遊技機に接触することがない程度にスロットマシン２０の玉受け皿２１内に到達可能にパチンコ玉ＰＢをほぼ水平に排出する方向ならばこれに含まれる。
【００５３】
図９に示すように、貸玉排出用ノズル３００の第１の通路部３１０の背面３１０ａには、開口部３４０が形成されている。この開口部３４０は、封鎖体として機能するシャッタ３４１によって開閉される。シャッタ３４１の一端縁は、バネ３４２の一端と接続されている。また、第１の通路部３１０の背面３１０ａに沿ってシャッタ３４１を動かせるように、第１の通路部３１０の背面３１０ａにはシャッタガイド３４３が設けられている。また、シャッタ３４１において、バネ３４２の一端が接続された側とは異なる他端の表面には、シャッタ３４１を開く際に力点となる突起部３４４が形成されている。
【００５４】
なお、バネ３４２の一端は、シャッタ３４１の突起部３４４が形成された側の端縁に接続されてもよい。この場合には、突起部３４４が形成された側の端縁の両側部に２つのバネの一端を接続し、それぞれのバネの他端を、例えば誘導通路部２６０の所定の部位に固定してもよい。なお、バネ３４２およびシャッタ３４１を稼動可能に第１の通路部３１０の背面３１０ａ側の樹脂などで覆うように構成してもよい。このようにすることで、例えば、遊技客が手でいたずらしてバネ３４２やシャッタ３４１などを破壊してしまうことを防止することができる。
【００５５】
第１の通路部３１０の両側面３１０ｂの内壁面には、第１の通路部３１０の長手方向に沿って、誘導通路部２６０の凸部２６１と着脱可能に嵌合する複数の凹部３４５が形成されている。なお、複数の凹部３４５の代わりに複数の貫通口を形成してもよい。
【００５６】
また、図１０に示すように、誘導通路部２６０は、計数されたパチンコ玉ＰＢを供給する供給配管１２０と連通する第１の誘導通路部２６０ａと、この第１の誘導通路部２６０ａと連通し、かつ第１の誘導通路部２６０ａとの連通部３６０において、連通口３６０ａの水平方向であり台間玉貸出機１０から貸玉排出用ノズル３００の突出方向の中心線を回転軸として、回転可能（図９および図１０の矢印Ｙの方向）に構成された第２の誘導通路部２６０ｂとから構成されている。なお、凸部２６１は、第２の誘導通路部２６０ｂの両側面に設けられている。さらに、第１および２の実施の形態と同様に、誘導通路部２６０の第１の誘導通路部２６０ａと供給配管１２０との連通部１３０は、連通口１３０ａの鉛直方向の中心線を回転軸として、回転可能に構成されている。これによって、貸玉排出用ノズル３００を、台間玉貸出機１０に、水平方向（図９の矢印Ｘの方向）に回動させることができる。
【００５７】
ここで、この誘導通路部２６０は、貸玉排出用ノズル３００の構成の一部として形成されても、パチンコ玉ＰＢを供給する供給配管１２０の一部として形成されてもよい。
【００５８】
次に、誘導排出通路３０１を、図９に示す、パチンコ玉ＰＢを第１の通路部３１０によって略水平方向に導き、続いて第２の通路部３１１によって略鉛直下方に導いて排出するへ字状の配置形態から、図１３に示す、パチンコ玉ＰＢを第１の通路部３１０によって略鉛直下方に導き、続いて第２の通路部３１１によって略水平方向に導いて排出するＬ字状の配置形態へ変更する過程について説明する。
【００５９】
まず、図１１示すように、図９のへ字状の配置形態から誘導排出通路３０１の排出口３１３が向けられている方向とは逆の（異なる）方向（図９の矢印Ｚの方向）、すなわち誘導排出通路３０１の第２の通路部３１１側を上方に持ち上げる方向（矢印Ｙの回転角度によっては上方でない場合もある）に、誘導通路部２６０の凸部２６１と第１の通路部３１０の両側面３１０ｂの凹部３４５との嵌合部を中心軸として回転する。回転された後において、図１１に示すように、シャッタ３４１の突起部３４４は、誘導通路部２６０の面３６１に当接している。
【００６０】
続いて、誘導排出通路３０１を、第１の誘導通路部２６０ａと第２の誘導通路部２６０ｂとの連通口３６０ａの鉛直方向の中心線を回転軸として、第２の通路部３１１を遊技ホールの通路側、すなわち第２の通路部３１１側をスロットマシン２０側とは異なる側に回転させる（図１１の矢印Ｙの方向）。この方向に回転させることで、誘導排出通路３０１がスロットマシン２０などに接触することなく、図１２に示すように、第２の通路部３１１を下方側へ移動することができる。
【００６１】
続いて、誘導排出通路３０１を鉛直上方に移動する（図１２参照）。この際、誘導通路部２６０の凸部２６１は、図１１に示された状態で嵌合している凹部３４５から順次他の凹部３４５と嵌合、離脱を繰り返し、所定の凹部３４５と嵌合した状態で誘導排出通路３０１の鉛直上方への移動が停止される。また、誘導排出通路３０１が鉛直上方へ移動されると、シャッタ３４１は、バネ３４２を押圧しながら開口部３４０を開く方向に移動され、図１４に示すように、第１の通路部３１０の背面３１０ａに形成された開口部３４０が徐々に開口される。また、図１４に示すように、誘導排出通路３０１の鉛直上方への移動が停止されたときには、誘導通路部２６０は、第１の通路部３１０と連通され、かつ第１の通路部３１０の背面３１０ａにおける上部が開口された状態となる。
【００６２】
上記した過程で、誘導排出通路３０１は、図９に示す、パチンコ玉ＰＢを第１の通路部３１０によって略水平方向に導き、続いて第２の通路部３１１によって略鉛直下方に導いて排出するへ字状の配置形態から、図１３に示す、パチンコ玉ＰＢを第１の通路部３１０によって略鉛直下方に導き、続いて第２の通路部３１１によって略水平方向に導いて排出するＬ字状の配置形態へ変更される。
【００６３】
なお、上記した過程と逆の過程を施すことで、図１３に示す、パチンコ玉ＰＢを第１の通路部３１０によって略鉛直下方に導き、続いて第２の通路部３１１によって略水平方向に導いて排出するＬ字状の配置形態から、図９に示す、パチンコ玉ＰＢを第１の通路部３１０によって略水平方向に導き、続いて第２の通路部３１１によって略鉛直下方に導いて排出するへ字状の配置形態に変更することもできる。
【００６４】
次に、誘導排出通路３０１を、図９に示す、パチンコ玉ＰＢを第１の通路部３１０によって略水平方向に導き、続いて第２の通路部３１１によって略鉛直下方に導いて排出するへ字状の配置形態から、図１３に示す、パチンコ玉ＰＢを第１の通路部３１０によって略鉛直下方に導き、続いて第２の通路部３１１によって略水平方向に導いて排出するＬ字状の配置形態へ変更する他の過程について説明する。
【００６５】
まず、図１５示すように、図９のへ字状の配置形態から、誘導排出通路３０１を、第１の誘導通路部２６０ａと第２の誘導通路部２６０ｂとの連通口３６０ａの鉛直方向の中心線を回転軸として、排出口３１３が上方を向くように回転させる（図９の矢印Ｙの方向）。
【００６６】
続いて、図１６示すように、図１５に示す排出口３１３が上方を向いたへ字状の配置形態から誘導排出通路３０１の排出口３１３が向けられている方向とは逆の方向（図１５の矢印Ｚの方向）、すなわち誘導排出通路３０１の第２の通路部３１１側を下方に下げる方向に、誘導通路部２６０の凸部２６１と第１の通路部３１０の両側面３１０ｂの凹部３４５との嵌合部を中心軸として回転する。回転された後において、図１６に示すように、シャッタ３４１の突起部３４４は、誘導通路部２６０の面３６１に当接している。
【００６７】
続いて、誘導排出通路３０１を鉛直上方に移動する（図１６参照）。この際、誘導通路部２６０の凸部２６１は、図１６に示された状態で嵌合している凹部３４５から順次他の凹部３４５と嵌合、離脱を繰り返し、所定の凹部３４５と嵌合した状態で誘導排出通路３０１の鉛直上方への移動が停止される。また、誘導排出通路３０１が鉛直上方へ移動されると、シャッタ３４１は、バネ３４２を押圧しながら開口部３４０を開く方向に移動され、図１４に示すように、第１の通路部３１０の背面３１０ａに形成された開口部３４０が徐々に開口される。また、図１４に示すように、誘導排出通路３０１の鉛直上方への移動が停止されたときには、誘導通路部２６０は、第１の通路部３１０と連通され、かつ第１の通路部３１０の背面３１０ａにおける上部が開口された状態となる。
【００６８】
上記した過程で、誘導排出通路３０１は、図９に示す、パチンコ玉ＰＢを第１の通路部３１０によって略水平方向に導き、続いて第２の通路部３１１によって略鉛直下方に導いて排出するへ字状の配置形態から、図１７に示す、パチンコ玉ＰＢを第１の通路部３１０によって略鉛直下方に導き、続いて第２の通路部３１１によって略水平方向に導いて排出するＬ字状の配置形態へ変更される。
【００６９】
なお、上記した過程と逆の過程を施すことで、図１７に示す、パチンコ玉ＰＢを第１の通路部３１０によって略鉛直下方に導き、続いて第２の通路部３１１によって略水平方向に導いて排出するＬ字状の配置形態から、図９に示す、パチンコ玉ＰＢを第１の通路部３１０によって略水平方向に導き、続いて第２の通路部３１１によって略鉛直下方に導いて排出するへ字状の配置形態に変更することもできる。
【００７０】
上記したように、第３の実施の形態の貸玉排出用ノズル３００およびそれを備えた台間玉貸出機１０によれば、誘導排出通路３０１を鉛直上方へ移動させ、さらに誘導排出通路３０１を第１の誘導通路部２６０ａと第２の誘導通路部２６０ｂとの連通口３６０ａの鉛直方向の中心線を回転軸として回転可能にすることで、誘導排出通路３０１の配置構成を変えることができる。また、誘導排出通路３０１の配置構成を変えることで、パチンコ玉ＰＢを略水平方向に導き、続いて略鉛直下方に導いて排出するへ字状の誘導排出通路の形態から、パチンコ玉ＰＢを略鉛直下方に導き、続いて略水平方向に導いて排出するＬ字状の誘導排出通路の形態へ変更することができる。さらに、パチンコ玉ＰＢを略鉛直下方に導き、続いて略水平方向に導いて排出するＬ字状の誘導排出通路の形態から、パチンコ玉ＰＢを略水平方向に導き、続いて略鉛直下方に導いて排出するへ字状の誘導排出通路の形態に変更することができる。
【００７１】
また、第１の通路部３１０の背面３１０ａにシャッタ３４１を設けることで、誘導排出通路３０１を上方に移動させても、第１の通路部３１０における背面３１０ａの開口部３４０からパチンコ玉ＰＢが外部にこぼれ落ちることなく、誘導排出通路３０１に適確にパチンコ玉ＰＢを導入することができる。さらに、第１の通路部３１０の背面３１０ａにシャッタ３４１を設け、かつ誘導排出通路３０１を上方に移動可能とすることで、鉛直方向における第２の通路部３１１の排出口３１３の位置の調整が可能となり、排出口３１３から適確にパチンコ玉ＰＢをスロットマシン２０の玉受け皿２１内に収容することができる。
【００７２】
これによって、従来の遊技機および、従来の遊技機とは異なる位置に玉受け皿２１を備える新種のスロットマシン２０の双方に対して１つの貸玉排出用ノズル構成で適確にパチンコ玉ＰＢを供給することができる。
【００７３】
以上、本発明を実施の形態により具体的に説明したが、本発明はこれらの実施の形態にのみ限定されるものではなく、その要旨を逸脱しない範囲で種々変更可能である。例えば、第２の実施形態における開口部および封鎖体の構成は、貸玉排出用ノズル２００の鉛直通路部２１０の背面２１０ａおよび側面２１０ｂに開口部２４０、２４１を形成し、蓋２４２、２４３で封鎖する構成に限られるものではない。例えば、第３の実施形態のように、鉛直通路部２１０の背面２１０ａに開口部を形成し、この開口部をシャッタによって開閉する構成としてもよい。
【図面の簡単な説明】
【００７４】
【図１】貸玉排出用ノズルを備えた台間玉貸出機の平面図。
【図２】スロットマシン間に設置された台間玉貸出機の貸玉排出用ノズルの平面図。
【図３】貸玉排出用ノズルの断面を模式的に示した図。
【図４】貸玉排出用ノズルを備えた台間玉貸出機の平面図。
【図５】スロットマシン間に設置された台間玉貸出機の貸玉排出用ノズルの平面図。
【図６】台間玉貸出機からパチンコ玉を鉛直通路部に導く誘導通路の斜視図。
【図７】貸玉排出用ノズルの側面を示す平面図。
【図８】貸玉排出用ノズルの一部を示す斜視図。
【図９】へ字状に配置された貸玉排出用ノズルを備えた台間玉貸出機における貸玉排出用ノズルの部分の斜視図。
【図１０】誘導通路部の断面を示す図。
【図１１】貸玉排出用ノズルの配置形態を変更する過程の一例を説明するための平面図。
【図１２】貸玉排出用ノズルの配置形態を変更する過程の一例を説明するための平面図。
【図１３】貸玉排出用ノズルの配置形態を変更する過程の一例を説明するための平面図。
【図１４】図１３のＡ−Ａ断面図。
【図１５】貸玉排出用ノズルの配置形態を変更する過程の他の一例を説明するための平面図。
【図１６】貸玉排出用ノズルの配置形態を変更する過程の他の一例を説明するための平面図。
【図１７】貸玉排出用ノズルの配置形態を変更する過程の他の一例を説明するための平面図。
【符号の説明】
【００７５】
１０…台間玉貸出機、１１…紙幣挿入口、１２…貸し出しボタン、２０…スロットマシン、２１…玉受け皿、１００，２００，３００…貸玉排出用ノズル、１０１，２０１，３０１…導排出通路、１１０，２１０…鉛直通路部、１１１，２１１…水平通路部、１１２…誘導通路部、１１３，２１３，３１３…排出口、１１４，２１４…リング、１１５，２１５…継ぎ手、１２０…供給配管、１３０，３６０…連通部、１３０ａ，３６０ａ…連通口、２１０ａ…背面、２１０ｂ…側面、２４０，２４１，３４０…開口部、２４２…蓋、２４４…弾性体、２５０，３４５…凹部、２６０…誘導通路部、２６０ａ…第１の誘導通路部、２６０ｂ…第２の誘導通路部、２６１…凸部、２６２…嵌合凸部、２６３…凹溝、３１０…第１の通路部、３１０ａ…背面、３１０ｂ…側面、３１１…第２の通路部、３４１…シャッタ、３４２…バネ、３４３…シャッタガイド、３４４…突起部、３６１…下面、ＰＢ…パチンコ玉。
【図１】
2008000217.tif 000003
【図２】
2008000217.tif 000004
【図３】
2008000217.tif 000005
【図４】
2008000217.tif 000006
【図５】
2008000217.tif 000007
【図６】
2008000217.tif 000008
【図７】
2008000217.tif 000009
【図８】
2008000217.tif 000010
【図９】
2008000217.tif 000011
【図１０】
2008000217.tif 000012
【図１１】
2008000217.tif 000013
【図１２】
2008000217.tif 000014
【図１３】
2008000217.tif 000015
【図１４】
2008000217.tif 000016
【図１５】
2008000217.tif 000017
【図１６】
2008000217.tif 000018
【図１７】
2008000217.tif 000019